(57)【要約】【課題】  薄型化が可能な発光装置を提供する。【解決手段】  第一の透過反射部材２８は、発光素子２７が発した光の一部を反射させると共に、他の一部を透過させる。第二の透過反射部材２９は、第一の透過反射部材２８を透過した光の一部を反射させると共に、他の一部を透過させる。反射部材３１は、第二の透過反射部材２９を透過した光の少なくとも一部を反射させる。【選択図】図１
2008262039.tif 000002
【特許請求の範囲】
【請求項１】
発光素子と、前記発光素子が発した光の一部を反射させると共に、他の一部を透過させる第一の透過反射部材と、前記第一の透過反射部材を透過した光の一部を反射させると共に、他の一部を透過させる第二の透過反射部材と、前記第二の透過反射部材を透過した光を反射させる反射部材と、を有することを特徴とする発光装置。
【請求項２】
前記第二の透過反射部材の透過率は、前記第一の透過反射部材の透過率よりも低いことを特徴とする請求項１に記載の発光装置。
【発明の詳細な説明】
【技術分野】
【０００１】
本発明は、発光ダイオード等の発光素子を有し、液晶表示パネル等を照明する発光装置に関するものである。
【背景技術】
【０００２】
従来より、車両用ヘッドアップディスプレイ装置が種々提案されており、例えば特許文献１に開示されている。斯かる車両用ヘッドアップディスプレイ装置１は、車両のフロントガラス２或いはコンバイナと称される半透過板に表示光Ｌを投射し、虚像Ｖを表示するものである（図３参照）。車両用ヘッドアップディスプレイ装置１は、ハウジング３に液晶表示器４及び反射ミラー５を収容したものであり、液晶表示器４が発した表示光Ｌは、反射ミラー５で反射され、透光性カバー６を通過してフロントガラス２或いは半透過板に投影される（図４参照）。
液晶表示器４は、液晶表示パネル７と、この液晶表示パネル７を透過照明する発光素子８と、液晶表示パネル７を支持するケース体９とを有するものである。
【特許文献１】特許第３７１８７４１号公報
【発明の開示】
【発明が解決しようとする課題】
【０００３】
しかしながら、発光素子８にて透過照明される液晶表示パネル７の輝度ムラを防止するため、発光素子８から所定間隔を有するように液晶表示パネル７を配置しているため、液晶表示器４の厚さ方向の幅Ｗ１が大きいという問題を有していた。
本発明は、この問題に鑑みなされたものであり、薄型化が可能な発光装置を提供するものである。
【課題を解決するための手段】
【０００４】
本発明は、請求項１に記載したように、発光素子２７と、前記発光素子２７が発した光Ｌ１の一部Ｌ２を反射させると共に、他の一部Ｌ３を透過させる第一の透過反射部材２８と、前記第一の透過反射部材２８を透過した光Ｌ３の一部Ｌ４を反射させると共に、他の一部Ｌ５を透過させる第二の透過反射部材２９と、前記第二の透過反射部材２９を透過した光Ｌ５の少なくとも一部Ｌ８を反射させる反射部材３１と、を有するものである。
【０００５】
また、本発明は、請求項２に記載したように、前記第二の透過反射部材２９の透過率は、前記第一の透過反射部材２８の透過率よりも低いものである。
【発明の効果】
【０００６】
発光素子が発した光を、複数の透過反射部材と反射部材とによって、反射させることができ、発光装置の薄型化が可能になる。
【発明を実施するための最良の形態】
【０００７】
以下、添付の図面に基づいて、本発明を車両用ヘッドアップディスプレイ装置に適用した一実施形態について説明する。
【０００８】
車両用ヘッドアップディスプレイ装置２１は、液晶表示器２２及び反射器２３をハウジング２４に収容したものである。液晶表示器２２は、液晶表示パネル２５及びこの液晶表示パネル２５を透過照明する発光装置２６を有している。液晶表示パネル２５は、液晶セルの前後面に偏光部材を貼着したものである。発光装置２６は、発光素子２７，第一の透過反射部材２８，第二の透過反射部材２９，第三の透過反射部材３０，反射部材３１及びケース体３２を備えている。
【０００９】
反射器２３は、反射ミラー３６，保持部材３７及びステッピングモータ３８を有している。反射ミラー３６は、樹脂（例えばポリカーボネート）に金属（例えばアルミニウム）を蒸着させ反射面３６ａを形成したものである。反射面３６ａは凹面となっており虚像を拡大表示するようになっている。反射ミラー３６は保持部材３７に両面粘着テープにより接着されている。保持部材３７は樹脂（例えばＡＢＳ）からなるものであり、歯車部４０及び軸部４１が一体に形成されている。軸部４１はハウジング２４に軸支されている。
【００１０】
ステッピングモータ３８の回動軸には歯車４２が取付けられており、この歯車４２は、保持部材３７の歯車部４０と噛み合わされている。反射ミラー３６は保持部材３７と共に回動可能な状態で支持されており、ステッピングモータ３８により反射ミラー３６を回動させ、表示光Ｌの投射方向を調整することができる。使用者は、図示しない押ボタンスイッチを操作し、表示光Ｌが使用者の目の位置に反射されるように（即ち、虚像を視認できるように）反射ミラー３６の角度位置を調整する。
【００１１】
ハウジング２４には液晶表示器２２，反射器２３等が収容される。ハウジング２４には表示光Ｌが出射する窓部２４ｂが形成されており、この窓部２４ｂには透光性カバー４８が配設されている。透光性カバー４８は、透光性樹脂（例えばアクリル）からなるものであり、湾曲形状になっている。ハウジング２４には遮光壁２４ｃ，２４ｄが設けられている。遮光壁２４ｃは、ハウジング２４の上部から斜めに垂下するように形成されており、太陽光等の外光が液晶表示器２２に入射し虚像が見えにくくなる現象（ウォッシュアウト）を防止している。遮光壁２４ｄは、ハウジング２４の下部に立設されている。
【００１２】
５１はフォトダイオード等の外光センサであり、この外光センサ５１は、回路基板５２に搭載されている。回路基板５２に搭載された外光センサ５１は、ハウジング２４の上部から垂下した保持部に固定されている。外光センサ５１は、透光性カバー４８を通過した光を受けるものであり、車両前方の明るさを検出し、発光素子２７の発光輝度を調整するための照度データを出力する。５３は筒状体であり、この筒状体５３は遮光壁２４ｃと一体形成されている。筒状体５３は、略円筒形状になっており、外光センサ５１に入射する光の角度範囲を規制する。
【００１３】
次に、発光素子２７，第一の透過反射部材２８，第二の透過反射部材２９，第三の透過反射部材３０，反射板３１を有する発光装置２６について詳述する。
発光素子２６は、例えば白色発光ダイオードからなるものであり、液晶表示パネル２５の後方に配置される。第一の透過反射部材２８，第二の透過反射部材２９，第三の透過反射部材３０は、例えば、波長選択性が無いビームスプリッタからなるものである。
【００１４】
第一の透過反射部材２８の反射率は約２５％（透過率は約７５％）、第二の透過反射部材２９の反射率は約３３％（透過率は約６６％）、第三の透過反射部材３０の反射率は約５０％（透過率は約５０％）になっている。第一の透過反射部材２８，第二の透過反射部材２９，第三の透過反射部材３０，反射部材３１は、発光素子２７の光軸に対して約４５°の角度で傾斜配置されている。
【００１５】
発光素子２７が発した光Ｌ１の一部Ｌ２は、第一の透過反射部材２８にて反射され、他の一部Ｌ３は、第一の透過反射部材２８を透過する。第一の透過反射部材２８を透過した光Ｌ３の一部Ｌ４は、第二の透過反射部材２９にて反射され、他の一部Ｌ５は、第二の透過反射部材２９を透過する。第二の透過反射部材２９を透過した光Ｌ５の一部Ｌ６は、第三の透過反射部材３０にて反射され、他の一部Ｌ７は、第三の透過反射部材３０を透過する。第三の透過反射部材３０を透過した光Ｌ７は、反射部材３１にて反射される。
【００１６】
本実施形態によれば、発光素子２７が発した光を、第一，第二，第三の透過反射部材２８，２９，３０と、反射部材３１とによって、反射させ、液晶表示パネル２５を略均一な明るさで透過照明することができ、且つ、発光素子２７と液晶表示パネル２５の間隔を小さくすることがで、発光装置２６の幅Ｗ２を小さくすることができる。
【図面の簡単な説明】
【００１７】
【図１】本発明の実施形態を示す断面図。
【図２】同上実施形態を要部拡大図。
【図３】従来例を示す概観図。
【図４】同上従来例を示す断面図。
【符号の説明】
【００１８】
２７  発光素子
２８  第一の透過反射部材
２９  第二の透過反射部材
３０  第三の透過反射部材
３１  反射部材
【図１】
2008262039.tif 000003
【図２】
2008262039.tif 000004
【図３】
2008262039.tif 000005
【図４】
2008262039.tif 000006